(57)【要約】【課題】専門知識を有しなくても容易に電子血圧計の機能検査を行ない、校正を行なうことのできる管理装置を提供する。【解決手段】校正装置８は血圧計１とエア管１０および通信ケーブル１１で接続される。校正装置８は、接続が検知されると、血圧計１の弁２２および自身の弁８１２を閉塞させてエア管１０内に印加して圧力を測定し、漏気判断部８０２で圧力変化に基づいて血圧計１の漏気を判断する。また、校正装置８は、血圧計１の圧力センサ２３に内圧を測定させて通信Ｉ／Ｆ８１５で測定結果を受信し、器差判断部８０４で印加圧力と内圧との差分に基づいて血圧計１の器差検査の結果を判断する。器差検査が不合格と判定された場合、校正部８０５で血圧計１に対して制御信号を出力し、圧力センサ２３の出力値を校正させる。【選択図】図１
2010178908.tif 000002
【特許請求の範囲】
【請求項１】
空気袋の内圧変化をセンサで検出し、前記センサの出力値に基づいて血圧値を算出する電子血圧計の管理を行なう管理装置であって、
前記電子血圧計と接続するための接続手段と、
前記接続手段で前記電子血圧計と接続された状態において前記電子血圧計の機器性能を検査する検査手段と、
前記検査手段での検査結果に応じて、前記電子血圧計の機器性能を校正する校正手段と、
前記検査手段での検査結果、または前記校正手段での校正の有無を出力する第１の出力手段とを備える、管理装置。
【請求項２】
前記検査手段は、
前記電子血圧計内部の漏気を検査するための動作を行なう第１の検査手段と、
前記接続手段で前記電子血圧計と接続された状態において前記センサの出力値の精度を検査するための動作を行なう第２の検査手段とを含み、
前記校正手段は、前記第２の検査手段での検査結果に応じて、前記電子血圧計において前記センサの出力値を校正する、請求項１に記載の管理装置。
【請求項３】
前記電子血圧計は動作モードとして測定を行なうモードと検査を行なうモードとを有し、
前記接続手段で前記電子血圧計と接続されたことを検知すると、前記電子血圧計に対して動作モードを前記検査を行なうモードに移行させる制御信号を出力する第２の出力手段をさらに備える、請求項１または２に記載の管理装置。
【請求項４】
前記校正手段で前記校正を行なった時に関する情報を記憶する第１の記憶手段をさらに備える、請求項１〜３のいずれかに記載の管理装置。
【請求項５】
他の装置と通信を行なうための通信手段をさらに備え、
前記第１の出力手段は、前記検査手段での検査結果、または前記校正手段での校正の有無を、前記電子血圧計を特定する情報と共に前記通信手段で前記他の装置に送信する、請求項１〜４のいずれかに記載の管理装置。
【請求項６】
前記検査手段での検査結果を、前記電子血圧計を特定する情報と共に記憶する第２の記憶手段をさらに備える、請求項１〜５のいずれかに記載の管理装置。
【請求項７】
前記接続手段は、前記電子血圧計と通信するための通信手段と、前記電子血圧計内部と閉空間を構成するようにエア管を接続する管接続手段とを含み、
前記第１の検査手段は、前記管接続手段で前記電子血圧計内部と接続された状態で前記閉空間に対して所定圧を印加し、前記所定圧の時間変化に基づいて前記電子血圧計内部の漏気の有無を判断する漏気判断手段を含み、
前記第１の出力手段は、前記漏気判断手段において、前記電子血圧計内部に漏気があると判断された場合に、その旨を示す画面を表示する、請求項２〜６のいずれかに記載の管理装置。
【請求項８】
前記接続手段は、前記電子血圧計と通信するための通信手段と、前記電子血圧計内部と閉空間を構成するようにエア管を接続する管接続手段とを含み、
前記第２の検査手段は、
前記管接続手段で前記電子血圧計内部と接続された状態で前記閉空間に対して所定圧を印加し、前記電子血圧計に対して前記センサで前記閉空間の内圧を測定させるための制御信号を出力する測定制御手段と、
前記電子血圧計から前記センサで測定された内圧を取得する取得手段と、
前記所定圧と前記内圧との差分が許容範囲内であるか否かを判断する圧力判断手段とを含み、
前記校正手段は、前記圧力判断手段で前記差分が前記許容範囲外と判断された場合に、前記電子血圧計に対して前記センサからのセンサ信号と前記センサの出力値との関係を変更させるための制御信号を出力する校正制御手段を含む、請求項２〜７のいずれかに記載の管理装置。
【請求項９】
前記第１の出力手段は、前記校正手段で所定回数前記校正が行なわれた後にも前記差分が前記許容範囲外であると判断された場合に、前記センサが不良である旨を示す画面を表示する、請求項８に記載の管理装置。
【請求項１０】
空気袋の内圧変化をセンサで検出し、前記センサの出力値に基づいて血圧値を算出する電子血圧計と、
前記電子血圧計と接続されて、前記電子血圧計を管理する管理装置とを含み、
前記管理装置は、
前記電子血圧計と接続された状態において前記電子血圧計の機器性能を検査するための動作を行なう検査手段と、
前記検査手段での検査結果に応じて、前記電子血圧計の機器性能を校正する校正手段と、
前記検査手段での検査結果、または前記校正手段での校正の有無を出力する出力手段とを備え、
前記電子血圧計は、
前記検査手段で出力される制御信号に従って前記電子血圧計を動作させる駆動手段と、
前記動作に伴って前記センサの出力値に応じた信号を前記管理装置に送信する測定手段と、
前記校正手段で出力される制御信号に従って、前記センサからのセンサ信号と前記センサの出力値との関係を変更させる変更手段とを備える、管理システム。
【請求項１１】
前記電子血圧計は、
前記血圧値を測定時を特定する情報と共に記憶する第１の記憶手段と、
前記出力手段で出力される制御信号に従って、前記校正を行なった旨を示す情報を前記校正の時を特定する情報と共に記憶する第２の記憶手段と、
前記出力手段で出力される前記制御信号に従って、前記第１の記憶手段に記憶されている情報のうち、前記校正の直前の校正が行なわれた時から前記校正の時までの前記血圧値に対して、前記校正が行なわれる以前の測定結果である旨の情報を付加する処理を行なう処理手段とをさらに備える、請求項１０に記載の管理システム。
【請求項１２】
空気袋の内圧変化をセンサで検出し、前記センサの出力値に基づいて血圧値を算出する電子血圧計と、
前記電子血圧計と接続されて、前記電子血圧計を管理する管理装置とを含む管理システムにおける電子血圧計の管理方法であって、
前記管理装置が、前記電子血圧計と接続されたことを検知し、前記電子血圧計と接続された状態において前記電子血圧計の機器性能を検査するための動作を行なうステップと、
前記電子血圧計が、前記機器性能を検査するための動作を行なうステップで前記管理装置から出力される制御信号に従って前記電子血圧計を動作させるステップと、
前記電子血圧計が、前記動作に伴って前記センサの出力値に応じた信号を前記管理装置に送信するステップと、
前記管理装置が、前記電子血圧計から送信された前記信号および／または前記接続された状態で検出される値に基づいて前記電子血圧計の機器性能を判断するステップと、
前記管理装置が、前記判断に応じて、前記電子血圧計の機器性能を校正するステップと、
前記電子血圧計が、前記機器性能を校正するステップで前記管理装置から出力される制御信号に従って、前記センサからのセンサ信号と前記センサの出力値との関係を変更させるステップと、
前記管理装置が、前記検査の結果、または前記センサの出力値の校正の有無を出力するステップとを備える、管理方法。
【発明の詳細な説明】
【技術分野】
【０００１】
この発明は管理装置、管理システム、および管理方法に関し、特に、電子血圧計の管理を行なう、管理装置、管理システム、および管理方法に関する。
【背景技術】
【０００２】
血圧は、循環器系疾患を解析する指標の１つであり、血圧に基づいてリスク解析を行なうことは、たとえば脳卒中や心不全や心筋梗塞などの心血管系の疾患の予防に有効である。
【０００３】
従来は、通院時や健康診断時などの医療機関で測定される血圧（随時血圧）により診断が行なわれていた。しかしながら近年の研究により、家庭で測定する血圧（家庭血圧）が随時血圧より循環器系疾患の診断に有用であることが判明してきた。それに伴い、家庭で使用する電子血圧計が普及してきている。
【０００４】
家庭において血圧計を使用するにあたり、血圧計の測定精度が正確であるか否かが不明であることが問題となる。圧力を検出するセンサが、血圧計の測定精度に最も影響を与える。センサは個体ごとにその特性が異なるため、工場出荷時などにおいてセンサ個々の特性に合わせた校正が必要となる。センサの校正を容易に実現する技術として、本願出願人が有する特許発明である特許第３１７８１７５号公報（特許文献１）がある。この特許発明では、予め、印加圧力値と検出圧力値との差異の関係の複数のパターンを記憶しておき、実際の差異の関係に近いパターンを選択して血圧計の不揮発性メモリに設定することで、センサの校正を容易に行なうことを可能としている。
【先行技術文献】
【特許文献】
【０００５】
【特許文献１】特許第３１７８１７５号公報
【発明の概要】
【発明が解決しようとする課題】
【０００６】
しかしながら、血圧はストレス、時間、食事、運動などの様々な環境要因により常に変動するものである。そのため、随時血圧と家庭血圧との間で測定結果に差があったり、また家庭血圧でも繰り返し測定すると測定のたびに血圧値が異なったりすることがある。家庭においては、この血圧値の違いが環境要因によるものなのか、電子血圧計の測定精度によるものかが判断できない。
【０００７】
家庭で使用するにあたって、ユーザは、電子血圧計の測定精度が正確であるか否かを知ることができないため、血圧値が異なることで、電子血圧計の測定精度に対して不安を覚えることになる。そのため、ユーザによっては、電子血圧計に不良があるかどうかを確認するためにメーカへ送付して確認する、という作業を行なう場合がある。電子血圧計をメーカに送付している間は血圧測定ができなくなる。ユーザによっては、電子血圧計の測定精度に対して不信感を覚え、測定を行なわなくなることもある。このようにして家庭血圧が得られなくなることは、循環器系疾患の診断にとって有用な情報が減ってしまうという問題につながる。
【０００８】
本発明はこのような問題に鑑みてなされたものであって、専門知識を有しなくても容易に電子血圧計の機能検査を行ない、校正を行なうことのできる管理装置、管理システム、および管理方法を提供することを目的としている。
【課題を解決するための手段】
【０００９】
上記目的を達成するために、本発明のある局面に従うと、管理装置は、空気袋の内圧変化をセンサで検出し、センサの出力値に基づいて血圧値を算出する電子血圧計の管理を行なう管理装置であって、電子血圧計と接続するための接続手段と、接続手段で電子血圧計と接続された状態において電子血圧計の機器性能を検査する検査手段と、検査手段での検査結果に応じて、電子血圧計の機器性能を校正する校正手段と、検査手段での検査結果、または校正手段での校正の有無を出力する第１の出力手段とを備える。
【００１０】
好ましくは、検査手段は、電子血圧計内部の漏気を検査するための動作を行なう第１の検査手段と、接続手段で電子血圧計と接続された状態においてセンサの出力値の精度を検査するための動作を行なう第２の検査手段とを含み、校正手段は、第２の検査手段での検査結果に応じて、電子血圧計においてセンサの出力値を校正する。
【００１１】
好ましくは、電子血圧計は動作モードとして測定を行なうモードと検査を行なうモードとを有し、管理装置は、接続手段で電子血圧計と接続されたことを検知すると、電子血圧計に対して動作モードを検査を行なうモードに移行させる制御信号を出力する第２の出力手段をさらに備える。
【００１２】
好ましくは、管理装置は、校正手段で校正を行なった時に関する情報を記憶する第１の記憶手段をさらに備える。
【００１３】
好ましくは、管理装置は他の装置と通信を行なうための通信手段をさらに備え、第１の出力手段は、検査手段での検査結果、または校正手段での校正の有無を、電子血圧計を特定する情報と共に通信手段で他の装置に送信する。
【００１４】
好ましくは、管理装置は、検査手段での検査結果を、電子血圧計を特定する情報と共に記憶する第２の記憶手段をさらに備える。
【００１５】
好ましくは、接続手段は、電子血圧計と通信するための通信手段と、電子血圧計内部と閉空間を構成するようにエア管を接続する管接続手段とを含み、第１の検査手段は、管接続手段で電子血圧計内部と接続された状態で該閉空間に対して所定圧を印加し、所定圧の時間変化に基づいて電子血圧計内部の漏気の有無を判断する漏気判断手段を含み、第１の出力手段は、漏気判断手段において、電子血圧計内部に漏気があると判断された場合に、その旨を示す画面を表示する。
【００１６】
好ましくは、接続手段は、電子血圧計と通信するための通信手段と、電子血圧計内部と閉空間を構成するようにエア管を接続する管接続手段とを含み、第２の検査手段は、管接続手段で電子血圧計内部と接続された状態で該閉空間に対して所定圧を印加し、電子血圧計に対してセンサで該閉空間の内圧を測定させるための制御信号を出力する測定制御手段と、電子血圧計からセンサで測定された内圧を取得する取得手段と、所定圧と内圧との差分が許容範囲内であるか否かを判断する圧力判断手段とを含み、校正手段は、圧力判断手段で該差分が許容範囲外と判断された場合に、電子血圧計に対してセンサからのセンサ信号とセンサの出力値との関係を変更させるための制御信号を出力する校正制御手段を含む。
【００１７】
より好ましくは、第１の出力手段は、校正手段で所定回数校正が行なわれた後にも該差分が許容範囲外であると判断された場合に、センサが不良である旨を示す画面を表示する。
【００１８】
本発明の他の局面に従うと、管理システムは、空気袋の内圧変化をセンサで検出し、センサの出力値に基づいて血圧値を算出する電子血圧計と、電子血圧計と接続されて、電子血圧計を管理する管理装置とを含み、管理装置は、電子血圧計と接続された状態において電子血圧計の機器性能を検査するための動作を行なう検査手段と、検査手段での検査結果に応じて、電子血圧計の機器性能を校正する校正手段と、検査手段での検査結果、または校正手段での校正の有無を出力する出力手段とを備え、電子血圧計は、検査手段で出力される制御信号に従って電子血圧計を動作させる駆動手段と、上記動作に伴ってセンサの出力値に応じた信号を管理装置に送信する測定手段と、校正手段で出力される制御信号に従って、センサからのセンサ信号とセンサの出力値との関係を変更させる変更手段とを備える。
【００１９】
好ましくは、電子血圧計は、血圧値を測定時を特定する情報と共に記憶する第１の記憶手段と、出力手段で出力される制御信号に従って、校正を行なった旨を示す情報を校正の時を特定する情報と共に記憶する第２の記憶手段と、出力手段で出力される制御信号に従って、第１の記憶手段に記憶されている情報のうち、当該校正の直前の校正が行なわれた時から当該校正の時までの血圧値に対して、当該校正が行なわれる以前の測定結果である旨の情報を付加する処理を行なう処理手段とをさらに備える。
【００２０】
本発明のさらに他の局面に従うと、管理方法は、空気袋の内圧変化をセンサで検出し、センサの出力値に基づいて血圧値を算出する電子血圧計と、電子血圧計と接続されて、電子血圧計を管理する管理装置とを含む管理システムにおける電子血圧計の管理方法であって、管理装置が、電子血圧計と接続されたことを検知し、電子血圧計と接続された状態において電子血圧計の機器性能を検査するための動作を行なうステップと、電子血圧計が、機器性能を検査するための動作を行なうステップで管理装置から出力される制御信号に従って電子血圧計を動作させるステップと、電子血圧計が、上記動作に伴ってセンサの出力値に応じた信号を管理装置に送信するステップと、管理装置が、電子血圧計から送信された信号および／または接続された状態で検出される値に基づいて電子血圧計の機器性能を判断するステップと、管理装置が、上記判断に応じて、電子血圧計の機器性能を校正するステップと、電子血圧計が、機器性能を校正するステップで管理装置から出力される制御信号に従って、センサからのセンサ信号とセンサの出力値との関係を変更させるステップと、管理装置が、漏気の検査の結果、センサの出力値の精度の検査の結果、またはセンサの出力値の校正の有無を出力するステップとを備える。
【発明の効果】
【００２１】
この発明によると、電子血圧計の機器構成についての専門知識を有しなくても容易に電子血圧計の機能検査を行ない、校正を行なうことができる。それにより、血圧計の測定結果が信頼できることになり、結果的に家庭においても継続的に血圧測定を行なうことができ、循環器系疾患の診断によって有用な情報である家庭血圧を得ることができる。
【図面の簡単な説明】
【００２２】
【図１】本実施の形態にかかる校正システムの構成、および校正システムに含まれる各装置の構成の具体例を示す図である。
【図２】血圧計に含まれる圧力センサの校正について説明するための図である。
【図３】血圧計に含まれる圧力センサの校正について説明するための図である。
【図４】校正システムで行なわれる動作の流れの具体例を示すフローチャートである。
【図５】図４の動作中の、漏気検査での動作の流れを示すフローチャートである。
【図６】図４の動作中の、器差検査での動作の流れを示すフローチャートである。
【図７】検査結果の表示画面の具体例を示す図である。
【図８】検査結果の表示画面の具体例を示す図である。
【図９】検査結果の表示画面の具体例を示す図である。
【図１０】検査結果の表示画面の具体例を示す図である。
【図１１】校正の記録を表示する画面の具体例を示す図である。
【図１２】次の検査や校正を促す画面の具体例を示す図である。
【図１３】本実施の形態にかかる校正システムの構成、および校正システムに含まれる各装置の構成の他の具体例を示す図である。
【発明を実施するための形態】
【００２３】
以下に、図面を参照しつつ、本発明の実施の形態について説明する。以下の説明では、同一の部品および構成要素には同一の符号を付してある。それらの名称および機能も同じである。
【００２４】
図１は、電子血圧計を管理するシステムとして、本実施の形態にかかる校正システムの構成、および校正システムに含まれる各装置の構成の具体例を示す図である。図１を参照して、校正システムは電子血圧計（以下、血圧計１）と、血圧計１を検査し必要に応じて後述する校正する管理装置である校正装置８とを含む。血圧計１と校正装置８とは通信ケーブル１１で電気的に接続され、双方向の通信を行なう。血圧計１と校正装置８との通信としては、たとえば、ＲＳ−２３２（Recommended Standard 232）などの規格に従った通信が挙げられるが、その他の通信であってもよい。また、有線の通信に限定されず、赤外線通信など無線通信も含む。
【００２５】
血圧計１は本体部２を有し、血圧測定時には、カフ５に内包される空気袋１３とエア管１０で接続される。後述する検査時には校正装置８と通信ケーブル１１での接続に加えて、空気袋１３に替えて校正装置８とエア管１０で接続される。カフ５は測定部位である上腕に巻付けられる。本体部２の正面には、測定開始を指示するためのスイッチ等を含む操作部３と、測定結果等を表示する表示部４とが配備される。
【００２６】
本体部２には、エア管１０を挟んで空気袋１３に接続される、空気袋１３の内圧変化を測定する圧力センサ２３、ポンプ２１、および弁２２が含まれる。圧力センサ２３、ポンプ２１、および弁２２は、各々、発振回路２８、駆動回路２６、および駆動回路２７に接続され、さらに、発振回路２８、駆動回路２６、および駆動回路２７は、各々、血圧計１全体を制御するＣＰＵ（Central Processing Unit）４０に接続される。
【００２７】
ＣＰＵ４０には、さらに、表示部４と、操作部３と、メモリ６と、通信インタフェース（以下、Ｉ／Ｆと略する）７とが接続される。メモリ６は、ＣＰＵ４０で実行される制御プログラムや測定結果や後述する検査結果などを記憶する。さらに、メモリ６は、ＣＰＵ４０がプログラムを実行する際の作業領域ともなる。通信Ｉ／Ｆ７は、校正装置８と通信ケーブル１１で接続し、通信するためのインタフェースである。
【００２８】
制御プログラムとしては、通常の血圧測定動作を行なわせるための測定用プログラムと、後述する、校正装置８の指令に基づいて検査および校正を受けるモード（以下、校正モードと称する）となるための校正用プログラムとが記憶される。ＣＰＵ４０が測定用プログラムを読み出して実行することで血圧計１は測定動作を行なうモード（以下、通常モードと称する）となり、操作部３からの操作信号などに従って血圧測定動作が行なわれる。ＣＰＵ４０が校正用プログラムを読み出して実行することで血圧計１は校正モードとなり、通信Ｉ／Ｆ７で校正装置８から受信する指令に応じて各部を動作させることで検査および校正動作が行なわれる。
【００２９】
ＣＰＵ４０は、操作部３から入力される操作信号に基づいてメモリ６に記憶されている所定のプログラムを実行し、駆動回路２６および駆動回路２７に制御信号を出力する。駆動回路２６および駆動回路２７は、制御信号に従ってポンプ２１および弁２２を駆動させる。ポンプ２１は、ＣＰＵ４０からの制御信号に従った駆動回路２６によって駆動が制御されて、空気袋１３内に空気を注入する。弁２２は、ＣＰＵ４０からの制御信号に従った駆動回路２７によってその開閉が制御されて、空気袋１３内の空気を排出する。
【００３０】
圧力センサ２３は静電容量形の圧力センサであり、空気袋１３の内圧変化により容量値が変化する。発振回路２８は、圧力センサ２３の容量値に応じた発振周波数の信号をＣＰＵ４０に入力する。
【００３１】
ＣＰＵ４０は予め係数を記憶しておき、圧力センサ２３からの信号および該係数からセンサ出力値である空気袋１３の内圧を決定する。ＣＰＵ４０は、圧力センサ２３から得られた空気袋１３の内圧変化に基づいて所定の処理を実行し、その結果に応じて駆動回路２６および駆動回路２７に上記制御信号を出力する。また、ＣＰＵ４０は、圧力センサ２３から得られた空気袋１３の内圧変化に基づいて血圧値を算出し、測定結果を表示部４に表示させるための処理を行ない、表示させるためのデータと制御信号とを表示部４に出力する。
【００３２】
校正装置８にはエア管１０が着脱可能であって、エア管１０を校正装置８に接続することで、エア管１０で血圧計１と接続される。校正装置８には、ポンプ８１１、弁８１２、圧力計８１３、およびタンク８１４が含まれる。タンク８１４は血圧計１の検査または校正を行なう際のカフの代替となるものである。エア管１０が校正装置８に接続されている場合には、校正装置８のポンプ８１１、弁８１２、圧力計８１３、およびタンク８１４は、エア管１０を挟んで血圧計１の圧力センサ２３、ポンプ２１、および弁２２と接続され、これらで１つの閉空間を構成する。
【００３３】
ポンプ８１１および弁８１２は、各々、駆動回路８１６および駆動回路８１７に接続され、さらに、駆動回路８１６および駆動回路８１７は、各々、校正装置８全体を制御するＣＰＵ８００に接続される。また、圧力計８１３もＣＰＵ８００に接続される。
【００３４】
ＣＰＵ８００には、さらに、表示部８１８と、操作部８２０と、メモリ８１９と、通信Ｉ／Ｆ８１５，８２１とが接続される。メモリ８１９は、ＣＰＵ８００で実行される制御プログラムなどを記憶する。さらに、メモリ８１９は、ＣＰＵ８００がプログラムを実行する際の作業領域ともなる。通信Ｉ／Ｆ８１５は、血圧計１と通信ケーブル１１で接続し、通信するためのインタフェースである。通信Ｉ／Ｆ８２１は、校正装置８がインターネットを介した通信などの通信機能を有する場合に、当該通信機能を用いて他の装置と通信するためのインタフェースである。
【００３５】
操作部８２０には、電源のＯＮ／ＯＦＦを指示するための電源スイッチ、後述する検査動作の開始を指示するための開始スイッチ、および検査動作の停止を指示するための停止スイッチが含まれる。
【００３６】
ＣＰＵ８００は、操作部８２０に含まれる上記スイッチが押下されることによって入力される操作信号に基づいてメモリ８１９に記憶されている所定のプログラムを実行し、駆動回路８１６および駆動回路８１７に制御信号を出力する。駆動回路８１６および駆動回路８１７は、制御信号に従ってポンプ８１１および弁８１２を駆動させる。ポンプ８１１は、ＣＰＵ８００からの制御信号に従った駆動回路８１６によって駆動が制御されて、エア管１０が校正装置８に接続されている場合には、上記閉空間に空気を注入する。弁８１２は、ＣＰＵ４０からの制御信号に従った駆動回路８１７によってその開閉が制御されて、同様に上記閉空間内の空気を排出する。圧力計８１３は血圧計１と同様に圧力センサを含み、エア管１０が校正装置８に接続されている場合には、上記閉空間の内圧を測定し、測定結果をＣＰＵ８００に入力する。
【００３７】
ＣＰＵ８００は、漏気検査制御部８０１、漏気判断部８０２、器差検査制御部８０３、器差判断部８０４、および校正部８０５を含む。これらは、ＣＰＵ８００が操作部８２０からの操作信号に従ってメモリ８１９に記憶される上記制御プログラムを読み出して実行することで、主にＣＰＵ８００に形成される機能であることが図１には表わされているが、少なくともこれら機能のうちの一部は、図１に示されたいずれかのハードウェア構成を含んで形成されてもよい。
【００３８】
漏気検査制御部８０１は、後述する漏気検査のための動作を制御する。漏気判断部８０２は、漏気検査の結果として得られる漏気量に基づいて、漏気の有無を判断する。器差検査制御部８０３は、漏気判断部８０２での判断結果に応じて、後述する器差検査のための動作を制御する。器差とは、計量法などでは計量器の有する誤差を指すものと定められており、具体的には、計量値から真実の値を減じた値に相当する。器差判断部８０４は、器差検査の結果として得られる器差に基づいて、器差検査の合格／不合格を判断する。校正部８０５は、器差検査の結果に応じて血圧計１の圧力センサ２３の出力値を補正するための校正を行なう。校正は、後述するように、圧力センサ２３の印加圧力に対するセンサ出力の関係を補正する処理を指し、具体的には、血圧計１のＣＰＵ４０において圧力センサ２３からの信号よりセンサ出力値を得るために用いる上述の係数を変更させる処理を指す。校正部８０５は、血圧計１に対して上記係数を変更させるための制御信号を生成し、出力する。
【００３９】
校正装置８は、血圧計１とエア管１０および通信ケーブル１１で接続され、血圧計１の機器性能を検査する。機器性能の検査としては、ここでは、血圧計１本体内の空気の漏れ（漏気）の検査、および圧力センサの精度を表わす器差の検査を行なう例を説明する。校正装置８は、器差検査の結果に応じて、圧力センサ２３を校正する。他の機器性能の検査としては、たとえば、血圧計１に疑似的な脈波信号を入力し、血圧算出動作が正しく行なわれるか否かの検査などが挙げられる。
【００４０】
図２および図３は、血圧計１に含まれる圧力センサ２３の校正について説明するための図である。一般的に、圧力センサの特性は一定ではなく、印加圧力を直線的に変化させた場合でも、図２においてドットで表わされるように、センサ出力（周波数）は、必ずしも直線的には変化しない。
【００４１】
また、圧力センサのセンサ特性は、圧力センサが経年変化することにより変化する。すなわち、図３の直線Ｌ１は出荷時に設定されているセンサ特性であるのに対して、直線Ｌ２，Ｌ３は、圧力センサの経年変化後のセンサ特性を表わしている。直線Ｌ２に示されるセンサ特性の変化は、出荷時に設定されている当初センサ特性に対してオフセット変化しており、印加圧力に関わらずセンサ出力が一定の変化である。直線Ｌ２に示されるセンサ特性の変化に対しては、たとえば電源ＯＮ時に実行される初期化処理などにおいて、大気圧開放時のセンサ出力を予め記憶されている当初センサ特性に従った規定出力値となるようオフセットすることで補正され得る。一方、直線Ｌ３に示されるセンサ特性の変化は、上記オフセット変化に加えて、印加圧力に応じてセンサ出力の変化割合が異なる。すなわち、直線Ｌ３に示されるセンサ特性の変化は、上記オフセット変化に加えて、印加圧力の変化に対するセンサ出力の変化に相当する傾きの変化がある。
【００４２】
校正装置８は、図２に表わされた、血圧計１の圧力センサ２３の印加圧力に対するセンサ出力のばらつきに対して、印加圧力に対するセンサ出力の関係が、図２において直線Ｌに表わされる、これら実際のセンサ出力から得られる近似直線の係数αおよびβを決定する。また、図３の近似直線Ｌ３に表わされた、圧力センサの経年変化後のセンサ特性に対して、上述と同様にして近似直線の係数εおよびηを決定する。
【００４３】
図４は、校正システムで行なわれる動作の流れの具体例を示すフローチャートであり、左側のフローチャートが校正装置８での動作、右側のフローチャートが血圧計１での動作を表わしている。これらの動作は、各装置のＣＰＵがメモリに記憶されるプログラムを読み出して実行し、各々、図１に示される各部を制御することで実現される。図４の左側のフローチャートに表わされる動作は、校正装置８の操作部８２０に含まれる電源スイッチが押下されて電源がＯＮされると開始される。
【００４４】
図４を参照して、校正装置８の電源がＯＮされるとステップＳ１０１で、メモリ８１９の作業用領域を初期化し、圧力計８１３の０ｍｍＨｇ調整などを行なう初期化処理が行なわれた後、エア管１０で血圧計１が接続されたか否かが監視される（ステップＳ１０３）。これは、校正装置８のエア管１０との接続部に図示しないスイッチを設け、エア管１０が装着されたら該スイッチが押下される仕組みで実現されてもよい。または、エア管１０と校正装置８本体との接触部分にＩＣチップ等の記憶装置と読取装置とを設け、ＣＰＵ８００がこれらの間で通信が成立することを検出したら接続されたと判断することで実現してもよい。
【００４５】
校正装置８にエア管１０が接続されることで血圧計１が接続され（ステップＳ１０３でＹＥＳ）、その状態で操作部８２０から検査動作の開始を指示する開始スイッチの押下を示す操作信号が入力されると（ステップＳ１０５でＹＥＳ）、ステップＳ１０７でＣＰＵ８００は血圧計１を校正モードに移行させるための指令を通信Ｉ／Ｆ８１５から血圧計１に対して送信する。
【００４６】
血圧計１では、通信Ｉ／Ｆ７で校正装置８から上記ステップＳ１０７で送信された指令を受信すると（ステップＳ２０１でＹＥＳ）、ステップＳ２０３でＣＰＵ４０は電源をＯＮし、上記指令に従ってメモリ６から校正用プログラムを読み出して実行し、動作モードを校正モードに移行させる。ステップＳ２０３でＣＰＵ４０は、自動的に電源をＯＮしてもよいし、予め記憶されている「電源をＯＮして下さい」などの操作を促すための画面を校正装置８の表示部８１８に表示させて血圧計１の操作部３の電源スイッチを操作させるようにしてもよい。また、校正モードへの移行は、上記制御信号に従ってＣＰＵ４０が自動的に校正用プログラムを読み出すことで行なわれてもよいし、制御信号に替えて校正装置８から所定の圧力パターンがエア管１０に印加されることや、血圧計１へ供給する電源電圧が所定の電圧パターンで印加されることや、血圧計１が専用のスイッチを含んで該スイッチの操作を受付けることや、上記制御信号で操作部３のスイッチが所定のパターンで操作されること、などのいずれかがＣＰＵ４０で検出されることによって行なわれてもよい。
【００４７】
ステップＳ１０９で校正装置８では漏気検査制御部８０１が制御することで、漏気検査のための動作が行なわれる。漏気検査は校正装置８での動作に伴って血圧計１のステップＳ２０５でも所定の動作が行なわれることで実現される。
【００４８】
ステップＳ１１１で漏気判断部８０２はステップＳ１０９，Ｓ２０５での漏気検査の結果が適性であるか否か、つまり、血圧計１本体で漏気があるか否かが判断される。漏気検査がＯＫである場合、つまり、血圧計１本体で漏気がないと判断された場合（ステップＳ１１１でＹＥＳ）、ステップＳ１１３で校正装置８では、器差検査制御部８０３が制御することで器差検査のための動作が行なわれる。器差検査は校正装置８での動作に伴って血圧計１のステップＳ２０７でも所定の動作が行なわれることで実現される。ステップＳ２０７での血圧計１での動作の結果が校正装置８に送信される。
【００４９】
ステップＳ１１５で器差判断部８０２はステップＳ１１３，Ｓ２０７での器差検査の結果が適性であるか否か、つまり、血圧計１の器差が許容範囲内であるか否か判断される。器差検査がＯＫでない場合、つまり、印加圧力値を「真実の値」として、検査で得られた出力値が「真実の値」から許容範囲を越えている場合であって（ステップＳ１１５でＮＯ）、さらに、後述の圧力センサ２３を校正する動作の実行回数が規定されている所定数に至っていない場合には（ステップＳ１１７でＮＯ）、ステップＳ１１８で校正部８０５は、圧力センサ２３の校正を行なう校正動作を血圧計１に実行させるための制御信号を血圧計１に対して送信する。ステップＳ１１８で校正部８０５は、ＣＰＵ４０が圧力センサ２３からの信号よりセンサ出力値を得るために用いる上述の係数を、予め記憶されている所定量ずつ更新させるよう、予め規定された制御信号を送信してもよいし、ステップＳ１１３の器差検査で得られた器差から上記係数の更新量を算出し、その量だけ更新させる制御信号を送信してもよい。
【００５０】
血圧計１では、通信Ｉ／Ｆ７で校正装置８から上記ステップＳ１１８で送信された制御信号を受信すると、ステップＳ２０９でＣＰＵ４０は校正動作を実行する。すなわち、ＣＰＵ４０は、制御信号に従って、圧力センサ２３からの信号よりセンサ出力値を得るために用いる上述の係数を更新することで圧力センサ２３のセンサ出力値を補正し、校正する。
【００５１】
上記ステップＳ１１８，Ｓ２０９の校正動作が行なわれると、校正後の圧力センサ２３の機能を確認するために、再度、ステップＳ１１３，Ｓ２０７の器差検査が実行され、その検査結果に応じてさらに校正動作が行なわれる。ステップＳ１１８，Ｓ２０９の校正動作の回数は予め規定されており、ステップＳ１１８の校正が所定回数行なわれても器差検査がＯＫでない場合には（ステップＳ１１５でＮＯ、かつＳ１１７でＹＥＳ）、ＣＰＵ８００は血圧計１の圧力センサ２３の不良と判断する。
【００５２】
以上の一連の検査のための動作が終了すると、ステップＳ１１９でＣＰＵ８００は、上述の検査結果を表示する画面を表示部８１８に表示させるための処理を行ない、表示部８１８に表示させる。また、検査結果や校正の記録を血圧計１のメモリ６に記憶させるための制御信号を生成し、記憶させる情報と共に血圧計１に送信する。血圧計１では、ステップＳ２１１でＣＰＵ４０は、ステップＳ１１９で校正装置８から送信された制御信号に従って、送信された検査結果や校正の記録をメモリ６の所定領域に記憶させる処理を行なう。また、その際、検査結果や校正の記録を、表示部４に表示させてもよい。
【００５３】
また、校正装置８側でも検査結果や校正の記録を記憶しておいてもよい。すなわち、ステップＳ１１９でＣＰＵ８００は、検査結果や校正の記録を血圧計１を特定する情報（たとえばシリアルナンバーや予め登録されているユーザ名等）と共にメモリ８１９の所定領域に記憶してもよい。血圧計１を特定する情報は、たとえば、ステップＳ１０３で血圧計１の通信ケーブル１１が接続されたことが検出されると、ＣＰＵ８００が自動的に血圧計１に対して要求することで取得してもよいし、自動的にメモリ６の所定領域から読み出してもよいし、そのタイミングで表示部８１８に入力を促す画面を表示し、操作部８２０の図示しないキーなどから入力を受付けることで取得してもよい。
【００５４】
さらに、好ましくは、ＣＰＵ４０は、上述の検査で漏気ありと判定された場合や、器差が許容範囲外であると判定されて圧力センサ２３の校正が行なわれた場合には、少なくとも、前回の検査または校正の日時から今回の動作時までのメモリ６に記憶されている測定値に対して、精度がよくない可能性がある旨を示す情報を付加する。これにより、これら測定値を読み出してたとえば診断に用いる場合などにおいて、このような値を用いないなどすることができ、血圧計１での測定値の信用度を高めることができる。
【００５５】
その後、ステップＳ１２１でＣＰＵ８００は、血圧計１を通常モードとさせるための指令を通信Ｉ／Ｆ８１５から血圧計１に対して送信し、一連の動作を終了する。血圧計１では、通信Ｉ／Ｆ７で校正装置８から上記ステップＳ１２１で送信された指令を受信すると、ステップＳ２１３でＣＰＵ４０は上記指令に従ってメモリ６から測定用プログラムを読み出して実行することで動作モードを通常モードに移行させ、一連の校正モードにおける動作を終了する。
【００５６】
図５は、上記ステップＳ１０９，Ｓ２０５での漏気検査での動作の流れを示すフローチャートであって、同様に、左側のフローチャートが校正装置８での動作、右側のフローチャートが血圧計１での動作を表わしている。ここでの漏気検査は、たとえば、米国のＡＡＭＩ（Association for the Advancement of Medical Instrumentation）の自動血圧計の精度規格（ＳＰ１０）に規定された試験方法や、ＪＩＳ  Ｔ４２０３−１９９０に規定された試験方法を採用することができる。
【００５７】
図５を参照して、漏気検査のための動作が開始すると、ステップＳ３０１でＣＰＵ８００の漏気検査制御部８０１は駆動回路８１７に制御信号を出力し、弁８１２を閉塞させる。ステップＳ３０３で漏気検査制御部８０１は弁を閉塞させるための制御信号を生成し、通信Ｉ／Ｆ８１５から血圧計１に対して出力する。
【００５８】
上記ステップＳ２０３で校正モードに移行している血圧計１では、通信Ｉ／Ｆ７で校正装置８から上記ステップＳ３０３で送信された上記制御信号を受信すると（ステップＳ４０１でＹＥＳ）、ステップＳ４０３でＣＰＵ４０が上記制御信号に従って駆動回路２７に対して制御信号を出力し、弁２２を閉塞させる。
【００５９】
ステップＳ３０５で漏気検査制御部８０１は、所定の圧力を血圧計１の圧力センサ２３に印加するために駆動回路８１６に制御信号を出力し、上記所定の圧力に応じた量の空気をタンク８１４およびエア管１０に注入させるようポンプ８１１を駆動させる。エア管１０に所定量の空気を注入することで所定圧印加した後、漏気検査制御部８０１は所定時間Ｔ１の経過を検出すると（ステップＳ３０７）、ステップＳ３０９で圧力計８１３でタンク８１４およびエア管１０内の圧力Ｐ１を測定する。さらにその後、漏気検査制御部８０１は所定時間Ｔ２の経過を検出すると（ステップＳ３１１）、ステップＳ３１３でタンク８１４および圧力計８１３でエア管１０内の圧力Ｐ２を測定する。
【００６０】
上記ステップＳ３０１およびステップＳ４０３によって、エア管１０で接続された血圧計１および校正装置８では、血圧計１のポンプ２１、弁２２、および圧力センサ２３と、校正装置８のポンプ８１１、弁８１２、圧力計８１３、およびタンク８１４とが接続されたエア管１０で閉じた空間が構成されている。そのため、上記ステップＳ３０９で測定される圧力Ｐ１および上記ステップＳ３１３で測定される圧力Ｐ２は、血圧計１内部の圧力とも言える。
【００６１】
ステップＳ３１５で漏気検査制御部８０１は、上記ステップＳ３１３で得られた圧力Ｐ２から上記ステップＳ３０９で得られた圧力Ｐ１を減じることで、漏気量を算出する。ステップＳ３１５では、時間Ｔ１経過後から時間Ｔ２経過するまでの間の圧力変化を漏気によるものとして、時間Ｔ１経過後の内圧（Ｐ１）とその後時間Ｔ２経過後の内圧（Ｐ２）との差分が漏気量として算出される。
【００６２】
ステップＳ３１７で漏気判断部８０２は、ステップＳ３１５で漏気量として算出された圧力の差分と予め記憶されている上記規格等に従ったしきい値とを比較し、差分がしきい値よりも小なる場合には（ステップＳ３１７でＹＥＳ）、血圧計１本体内での漏気がないと判定する（ステップＳ３１９）。そうでない場合には（ステップＳ３１７でＮＯ）、血圧計１本体内で漏気があると判定する（ステップＳ３２１）。
【００６３】
以上の一連の動作が完了すると、ステップＳ３２３で漏気検査制御部８０１は弁を開放させるための制御信号を生成し、通信Ｉ／Ｆ８１５から血圧計１に対して出力する。通信Ｉ／Ｆ７で校正装置８から上記ステップＳ３２３で送信された上記制御信号を受信すると（ステップＳ４０５でＹＥＳ）、ステップＳ４０７でＣＰＵ４０が上記制御信号に従って駆動回路２７に対して制御信号を出力し、弁２２を開放させる。
【００６４】
ステップＳ３２５で漏気検査制御部８０１は駆動回路８１７に制御信号を出力し、弁８１２を開放させ、一連の漏気検査のための動作を終了する。
【００６５】
図６は、上記ステップＳ１１３，Ｓ２０７での器差検査での動作の流れを示すフローチャートであって、同様に、左側のフローチャートが校正装置８での動作、右側のフローチャートが血圧計１での動作を表わしている。ここでの器差検査は、たとえば、ＪＩＳ  Ｔ１１１５−２００５に規定された試験方法を採用することができる。
【００６６】
図６を参照して、器差検査のための動作が開始すると、ステップＳ５０１でＣＰＵ８００の器差検査制御部８０３は駆動回路８１７に制御信号を出力し、弁８１２を閉塞させる。ステップＳ３０３で器差検査制御部８０３は弁を閉塞させるための制御信号を生成し、通信Ｉ／Ｆ８１５から血圧計１に対して出力する。
【００６７】
上記ステップＳ２０３で校正モードに移行している血圧計１では、通信Ｉ／Ｆ７で校正装置８から上記ステップＳ５０３で送信された上記制御信号を受信すると（ステップＳ６０１でＹＥＳ）、ステップＳ６０３でＣＰＵ４０が上記制御信号に従って駆動回路２７に対して制御信号を出力し、弁２２を閉塞させる。
【００６８】
ステップＳ５０５で器差検査制御部８０３は、所定の圧力Ｐ１を血圧計１の圧力センサ２３に印加するために駆動回路８１６に制御信号を出力し、上記圧力Ｐ１に応じた量の空気をタンク８１４およびエア管１０に注入させるようポンプ８１１を駆動させる。タンク８１４およびエア管１０に所定量の空気を注入することで所定圧Ｐ１を印加すると、器差検査制御部８０３は血圧計１においてタンク８１４およびエア管１０の内圧を測定させるための制御信号を生成し、通信Ｉ／Ｆ８１５から血圧計１に対して出力する。
【００６９】
血圧計１では、通信Ｉ／Ｆ７で校正装置８から上記制御信号を受信すると、ステップＳ６０５でＣＰＵ４０は圧力センサ２３からの信号と上記係数とを用いてセンサ出力値を得、センサ出力値で表わされる血圧計１で測定された内圧Ｐを通信Ｉ／Ｆ７から校正装置８に対して出力する。ステップＳ５０７で校正装置８は、上記ステップＳ６０５で血圧計１から送信された測定値である内圧Ｐを取得する。
【００７０】
ステップＳ５０９で器差検査制御部８０３は、上記ステップＳ５０７で血圧計１から受診して取得した、血圧計１での測定値である内圧Ｐを、ステップＳ５０５で印加した圧力値Ｐ１に関連付けて、メモリ８１９の所定領域に記憶させる。
【００７１】
器差検査としてたとえばＪＩＳ  Ｔ１１１５−２００５に規定された試験方法がなされている場合には、所定の圧力間隔で加圧しながら上の動作が繰り返される。印加される圧力Ｐ１の具体例としては、０，５０，１００，１５０，２００，２５０，２９５ｍｍＨｇが挙げられる。すなわち、上記ステップＳ５１１またはステップＳ５１３の後、予め記憶してある加圧時検査の上限値まで加圧が達していない場合には（ステップＳ５１５でＮＯ）、上記所定の圧力間隔でさらに加圧された圧力Ｐ１を印加し、ステップＳ５０５以降の動作が繰り返される。
【００７２】
上記上限値まで加圧が達し、加圧時検査が完了すると（ステップＳ５１５でＹＥＳ）、器差検査としてたとえばＪＩＳ  Ｔ１１１５−２００５に規定された試験方法がなされている場合には、所定の圧力間隔で減圧しながら同様の動作が繰り返される。すなわち、ステップＳ５１７で器差検査８０２はエア管１０の内圧を所定の圧力Ｐ２まで減圧した後に血圧計１に対して内圧Ｐを測定させるための制御信号を出力することでステップＳ５１９で血圧計１から測定された内圧Ｐを取得し、ステップＳ５２３でステップＳ５１７で印加した圧力Ｐ２に関連付けて血圧計１での測定値である内圧Ｐがメモリ８１９の所定領域に記憶される。この、減圧時の動作も加圧時と同様に所定の圧力間隔で下限圧力に達するまで（ステップＳ５２７でＹＥＳ）繰り返される。
【００７３】
以上の動作が行なわれることで、校正装置８のメモリ８１９の所定領域には、加圧時の圧力Ｐ１ごとの血圧計１で測定された圧力Ｐと、減圧時の圧力Ｐ２ごとの血圧計１で測定された圧力Ｐとが記憶されている。器差検査としてたとえばＪＩＳ  Ｔ１１１５−２００５に規定された試験方法がなされている場合には、好ましくは、上述のステップＳ５０５〜Ｓ５１５，Ｓ５１７〜Ｓ５２７の動作は、各々２回ずつ行なわれる。
【００７４】
これらの動作によって記憶された値を用いて、ステップＳ５２９で器差検査制御部８０３は器差を算出し、器差判断部８０４は、その器差が許容される範囲であるか否かを判断する。すなわち、ステップＳ５２９で器差検査制御部８０３は、加圧時および減圧時の各々で、印加された圧力Ｐ１，Ｐ２を「真実の値」として、血圧計１で測定された内圧Ｐの「真実の値」からの差分を器差として算出する。そして、器差判断部８０４は、算出された器差を予め記憶されている許容値と比較して、器差が許容値以下であるか否かを判断する。器差検査としてたとえばＪＩＳ  Ｔ１１１５−２００５に規定された試験方法がなされている場合には、好ましくは、加圧時および減圧時の各々の器差の２回の平均値を用いて上記判定が行なわれる。そして、一連の動作で得られた器差のうち、許容値と比較して器差が許容値以下である、すなわち、器差がすべて許容範囲内である場合には（ステップＳ５２９でＮＧなし）、器差判断部８０４は器差検査が合格であると判断する（ステップＳ５３１）。１つでも許容値より大なる器差がある場合、すなわち、１つでも器差が許容範囲外となった場合には（ステップＳ５２９でＮＧあり）、器差判断部８０４は器差検査が不合格であると判断する（ステップＳ５３３）。
【００７５】
以上の一連の動作が完了すると、ステップＳ５３５で器差検査制御部８０３は弁を開放させるための制御信号を生成し、通信Ｉ／Ｆ８１５から血圧計１に対して出力する。通信Ｉ／Ｆ７で校正装置８から上記ステップＳ５３５で送信された上記制御信号を受信すると（ステップＳ６０９でＹＥＳ）、ステップＳ６１１でＣＰＵ４０が上記制御信号に従って駆動回路２７に対して制御信号を出力し、弁２２を開放させる。
【００７６】
ステップＳ５３７で器差検査制御部８０３は駆動回路８１７に制御信号を出力し、弁８１２を開放させ、一連の器差検査のための動作を終了する。
【００７７】
血圧計１および校正装置８とを含んだ校正システムで以上の動作が実行されることで、血圧計１の使用者は、専門知識を有しなくても、校正装置８にエア管１０および通信ケーブル１１を接続して開始スイッチを操作するだけで、容易に血圧計１の機能検査を行なうことができる。
【００７８】
上記ステップＳ１１１でステップＳ１０９，Ｓ２０５の漏気検査で血圧計１本体での漏気がないと判断され、かつ、上記ステップＳ１１５でステップＳ１１３，Ｓ２０７の器差検査で血圧計１の器差が許容範囲内と判断された場合、ステップＳ１１９では、図７に示されるように、血圧計１の漏気も異常なく、圧力センサ２３の検出精度も異常ないとの検査結果が表示部８１８に表示される。これにより、血圧計１での測定結果に対する信頼性を高めることができ、家庭血圧の測定を促進させることができる。
【００７９】
上記ステップＳ１１１でステップＳ１０９，Ｓ２０５の漏気検査で血圧計１本体での漏気があると判断された場合、ステップＳ１１９では、図８に示されるように、血圧計１の漏気に異常があることを示す検査結果が表示部８１８に表示される。これにより、内部で漏気している血圧計１を用いて測定を行なうことがなくなる。また、血圧計１の使用者は、メーカ等に血圧計１の修理を依頼するなど、素早い対処をとることができる。
【００８０】
上記ステップＳ１１１でステップＳ１０９，Ｓ２０５の漏気検査で血圧計１本体での漏気がないと判断され、かつ、上記ステップＳ１１５でステップＳ１１３，Ｓ２０７の器差検査の結果に応じてステップＳ１１８，Ｓ２０９の校正動作が行なわれた場合、ステップＳ１１９では、図９に示されるように、圧力センサ２３の検出精度に異常があったものの、圧力センサ２３が校正されたことを示す検査結果が表示部８１８に表示される。これにより、血圧計１での測定結果に対する信頼性を高めることができ、家庭血圧の測定を促進させることができる。または、ステップＳ１１８，Ｓ２０９の校正動作が所定回数行なわれても器差が所定範囲内にならず、圧力センサ２３の不良と判断された場合、ステップＳ１１９では、図１０に示されるように、血圧計１の圧力の測定精度に異常があることを示す検査結果が表示部８１８に表示される。これにより、圧力センサ２３のセンサ出力が不適切な測定精度の低い血圧計１を用いて測定を行なうことがなくなる。また、血圧計１の使用者は、メーカ等に血圧計１の修理を依頼するなど、素早い対処をとることができる。
【００８１】
上述のように、血圧計１の検査は、使用者が、校正装置８にエア管１０および通信ケーブル１１を接続して開始スイッチを操作することによって実行され、その器差検査の結果に応じて圧力センサ２３が校正される。校正装置８は血圧計１と共に血圧計１の使用者が所有する装置であって、家庭内で検査が行なわれるという使い方が考えられる。または、たとえば薬局などの店舗に設置され、使用者が血圧計１を校正装置８が設置された位置まで持参して検査を行なうという使い方も考えられる。
【００８２】
血圧計１の測定精度を確保するため、検査および圧力センサ２３の校正は、一定の期間の間隔または測定回数の間隔で行なわれることが好ましい。そこで、好ましくは、血圧計１のＣＰＵ４０は、上記ステップＳ２１１でメモリ６の所定領域に記憶された校正の記録に基づき、直近の校正を行なった日時を特定する情報を表示部４に表示する。その表示は、図１１に示されるように、図示しない測定動作が行なわれて測定結果が表示部４に表示される際に併せて行なわれてもよい。または、測定動作の開始に行なわれる初期化処理の後に表示されてもよい。これにより、血圧計１の使用者は、直近の校正を行なった日時から一定の期間が経過している、または一定の回数で測定が行なわれていると判断すると、校正装置８に接続して検査を行なうことができる。
【００８３】
または、血圧計１のＣＰＵ４０は、上記ステップＳ２１１でメモリ６の所定領域に記憶された校正の記録や検査結果に基づき、直近の校正や検査から所定の期間が経過したことが検出されると、検査および圧力センサ２３の校正を行なうタイミングであると判断し、図１２に示されるように、次の検査や校正を促す画面を表示してもよい。
【００８４】
上の例では、上記ステップＳ１１９で校正装置８のＣＰＵ８００は、検査結果や校正の記録を血圧計１のメモリ６に記憶させるための制御信号を生成し、記憶させる情報と共に通信Ｉ／Ｆ８１５から血圧計１に送信しているが、校正システムに図示しないサーバ等の他の装置が含まれる場合、該他の装置に記憶させるための制御信号を生成し、記憶させる情報と共に信Ｉ／Ｆ８２１から該他の装置に送信してもよい。他の装置としては、たとえば血圧計１の製造メーカなどの設置する顧客管理用のサーバなどが該当する。その場合、校正装置８のＣＰＵ８００は、上述の情報と共に血圧計１を特定する情報（たとえばシリアルナンバーや予め登録されているユーザ名等）を上記他の装置に対して送信する。他の装置では、血圧計ごとに送信される情報を記憶しておく。さらに、上記他の装置は、血圧計ごとに、直近の検査や校正を行なった日時からの経過期間を監視し、所定の期間が経過したことが検出されると、検査および圧力センサ２３の校正を行なうタイミングであると判断し、その旨を血圧計１の使用者に対するサービス案内として出力するようにしてもよい。
【００８５】
さらに、校正装置８には駆動機構のみが含まれて、上述の校正用プログラムを実行するパーソナルコンピュータ（ＰＣ）等の他の装置で校正装置８の制御が行なわれてもよい。図１３は、その場合の校正システムの構成の具体例を示す図であり、上述の校正装置８の制御を行なう他の装置として、ＰＣ９が含まれている。一例として、図１に示された校正装置８の各構成のうち、ＣＰＵ８００がＰＣ９に含まれる構成が示されている。校正装置８の各部は、校正装置８に接続されたＰＣ９のＣＰＵ８００によって制御されて、上述の検査動作が行なわれる。ＰＣ９はインターネットに接続するなどして他の装置と通信するための通信Ｉ／Ｆ９０１をさらに含む。
【００８６】
たとえば、Ｗｅｂ上で健康指標を管理するサービスに登録した会員に校正装置８を貸し出し、該会員の所有するＰＣ９に上述の校正用プログラムをダウンロード（インストール）し、校正装置８をＰＣ９に接続した上で校正装置８に血圧計１を接続することで、該会員の自宅で血圧計１の検査および校正が行なわれる、などの使い方が考えられる。校正用プログラムに使用可能な有効期限を設けることで、会員のみに校正装置８の使用を許可することができる。この場合、ＰＣ９で得られた検査結果や校正が行なわれた記録は、通信Ｉ／Ｆ９０１から上記サービスの運営者の設置するサーバ等に送信され、該サーバに記憶される。そして、該サーバでは、上述の顧客管理用のサーバと同様にして検査および圧力センサ２３の校正を行なうタイミングが判断されて、その旨を示す情報をたとえば電子メールとしてＰＣ９に送信してもよい。
【００８７】
上述の校正用プログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８８】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８９】
また、本発明にかかるプログラムは、たとえば測定用プログラムなどの他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９０】
提供されるプログラム製品は、ハードディスクなどのプログラム格納部にインストールされて実行される。なお、プログラム製品は、プログラム自体と、プログラムが記録された記録媒体とを含む。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９２】
１  血圧計、２  本体部、３，８２０  操作部、４，８１８  表示部、５  カフ、６，８１９  メモリ、７，８１５，８２１，９０１  通信Ｉ／Ｆ、８  校正装置、１０  エア管、１１  通信ケーブル、１３  空気袋、２１，８１１  ポンプ、２２，８１２  弁、２３  圧力センサ、２６，２７，８１６，８１７  駆動回路、２８  発振回路、４０，８００  ＣＰＵ、８０１  漏気検査制御部、８０２  漏気判断部、８０３  器差検査制御部、８０４  器差判断部、８０５  校正部、８１３  圧力計、８１４  タンク。
【図１】
2010178908.tif 000003
【図２】
2010178908.tif 000004
【図３】
2010178908.tif 000005
【図４】
2010178908.tif 000006
【図５】
2010178908.tif 000007
【図６】
2010178908.tif 000008
【図７】
2010178908.tif 000009
【図８】
2010178908.tif 000010
【図９】
2010178908.tif 000011
【図１０】
2010178908.tif 000012
【図１１】
2010178908.tif 000013
【図１２】
2010178908.tif 000014
【図１３】
2010178908.tif 000015